(57)【特許請求の範囲】
【請求項１】
周波数の異なる複数の通話チャネルを通じてＴＤＭＡ方式により移動局と通信を行う基地局に接続された移動局装置において、
通話時に、自局の通話スロット受信タイミング以外のスロットタイミングに通話中チャネルの周波数に隣接する周波数の信号の受信レベルを測定する測定手段と、
前記測定した受信レベルが所定閾値を超えている場合は、基地局に通話チャネルの切替要求を送信する送信手段とを備えることを特徴とする移動局装置。
【請求項２】
周波数の異なる複数の通話チャネルを通じてＴＤＭＡ方式により移動局と通信を行う基地局に接続された移動局装置において、
自局の待ち受け時に、待ち受けスロット受信タイミング以外のタイミングに待ち受け中チャネルの周波数に隣接する周波数の信号の受信レベルを測定する測定手段と、
前記測定した受信レベルが所定閾値を超えている場合は、とまり木チャネルのサーチモードに移行する制御手段とを備えることを特徴とする移動局装置。
【請求項３】
通話中のチャネルから他の周波数のチャネルへ通話チャネルの変更を要求する信号を基地局へ送信する機能を備えた、移動通信システムにおける移動局装置において、
基地局による通話チャネルの指定から、実際に通話開始するまでの間に、前記指定された通話チャネルの周波数に隣接する周波数の信号の信号レベルを測定する測定手段と、
前記測定した受信レベルが所定レベルを超える場合に、前記通話チャネルの変更を要求する信号を送信する送信手段とを備えることを特徴とする移動局装置。
【請求項４】
接続下の移動局より報告された受信レベルが所定以下であることにより基地局が該移動局を他の周波数のチャネルに切り替える移動通信システムの移動局装置において、
通話時に、通話スロット受信タイミング以外のタイミングに通話中チャネルの周波数に隣接する周波数の信号の受信レベルを測定する測定手段と、
前記測定した受信レベルが所定レベルを超えたことにより自局の受信レベル測定結果を実際よりも低く報告する送信手段とを備えることを特徴とする移動局装置。
【発明の詳細な説明】
【０００１】
【発明の属する技術分野】
本発明は移動局装置に関し、更に詳しくは複数の移動局装置が各セルの基地局を介してＴＤＭＡ方式により相互に接続する移動通信システムの移動局装置に関する。
【０００２】
【従来の技術】
図６は従来技術を説明する図で、セルラ方式による移動通信システムの一部構成を示している。図において、無線サービスエリアが複数ゾーン（セル）に分割されると共に、ゾーンＺ１には基地局ＢＳ１、またゾーンＺ２には基地局ＢＳ２が夫々設けられ、これらの基地局ＢＳ１，ＢＳ２等は移動体交換局ＭＣＵを介して公衆網に接続している。更に、ゾーンＺ１に在圏する移動局ＭＳ１は周波数ｆ１で基地局ＢＳ１と接続し、またゾーンＺ２に在圏する移動局ＭＳ２は周波数ｆ２で基地局ＢＳ２と接続している。セルラ方式の下では、例えばデジタル方式自動車電話システム標準規格に規定される如く、隣接するセル間では、最低５０ｋＨｚ以上離れで周波数配置を行っており、隣接チャネル間隔（２５ｋＨｚ）の２倍以上離間させているため、通常であればチャネル間の干渉は生じない。
【０００３】
【発明が解決しようとする課題】
しかし、実際には同一のサービスエリアに複数の事業者が移動通信システムを重ねて運用する場合があり、このためにゾーン間における周波数配置間隔の確保が困難なものになりつつある。また、隣接ゾーン間における周波数配置間隔が守られても、周囲の地形、フェージング又は都市構造物等の影響によって電波の伝搬環境（即ち、サービスゾーンの形状）が実質的に変化し、このために、図示の如く、ゾーンＺ２とは非隣接であるゾーンＺｎからの電波ｆｎ（ｆ２の隣接チャネル、即ち、|ｆｎ−ｆ２|＝２５ｋＨｚ）が移動局ＭＳ２に受信されてしまい、通話品質が著しく劣化する場合がある。
【０００４】
本発明は上記従来技術の問題点に鑑みなされたもので、その目的とする所は、通信中チャネル（周波数）環境の変動によらず、良好な通信品質を維持可能な移動局装置を提供することにある。
【０００５】
【課題を解決するための手段】
上記の課題は例えば図４の構成により解決される。即ち、本発明（１）の移動局装置（ＭＳ２）は、周波数の異なる複数の通話チャネルを通じてＴＤＭＡ方式により移動局と通信を行う基地局に接続された移動局装置において、通話時に、自局の通話スロット受信タイミング（例えばＴ２）以外のスロットタイミングに通話中チャネルの周波数（例えばｆ２）に隣接する周波数の信号の受信レベル（例えばＲＳＳＩ）を測定する測定手段と、前記測定した受信レベルが所定閾値（ＴＨ）を超えている場合は、基地局に通話チャネルの切替要求を送信する送信手段とを備えるものである。従って、通話中における電波干渉状態を速やかに検出し、通話品質の劣化を速やかに回避できる。また、スロットタイミングを利用することで、制御が容易かつ確実となる。
【０００６】
また上記の課題は例えば図５の構成により解決される。即ち、本発明（２）の移動局装置（ＭＳ２）は、上記前提となる移動局装置において、自局の待ち受け時に、待ち受けスロット受信タイミング以外のタイミングに待ち受け中チャネルの周波数（ｆ２’）に隣接する周波数の信号の受信レベルを測定する測定手段と、前記測定した受信レベルが所定閾値（ＴＨ）を超えている場合は、とまり木チャネルのサーチモードに移行する制御手段とを備えるものである。従って、待ち受け中における電波干渉状態を速やかに検出し、待ち受け受信品質の劣化（不安定化）を速やかに回避できる。
【０００７】
また本発明（３）の移動局装置は、通話中のチャネルから他の周波数のチャネルへ通話チャネルの変更を要求する信号を基地局へ送信する機能を備えた、移動通信システムにおける移動局装置において、基地局による通話チャネルの指定から、実際に通話開始するまでの間に、前記指定された通話チャネルの周波数に隣接する周波数の信号の信号レベルを測定する測定手段と、前記測定した受信レベルが所定レベルを超える場合に、前記通話チャネルの変更を要求する信号を送信する送信手段とを備えるものである。従って、基地局による通話チャネルの指定から実際の通話開始に至るまでにおける電波干渉状態を速やかに検出し、劣悪な状態で通話開始することを未然に回避できる。
また本発明（４）の移動局装置は、接続下の移動局より報告された受信レベルが所定以下であることにより基地局が該移動局を他の周波数のチャネルに切り替える移動通信システムの移動局装置において、通話時に、通話スロット受信タイミング以外のタイミングに通話中チャネルの周波数に隣接する周波数の信号の受信レベルを測定する測定手段と、前記測定した受信レベルが所定レベルを超えたことにより自局の受信レベル測定結果を実際よりも低く報告する送信手段とを備えるものである。従って、チャネル切替要求を促進できる。
【０００８】
【発明の実施の形態】
以下、添付図面に従って本発明に好適なる実施の形態を詳細に説明する。なお、全図を通して同一符号は同一又は相当部分を示すものとする。
【０００９】
図１は実施の形態による移動局装置のブロック図で、図において、３１はアンテナ、３２は送受分波スイッチ、３３は受信ＲＦ信号を増幅する低雑音アンプ（ＬＮＡ）、３４は周波数シンセサイザ、３５は受信ＲＦ信号をＩＦ信号に周波数変換するミキサ、３６は所要帯域幅のＩＦ信号を抽出するバンドパスフィルタ（ＢＰＦ）、３７は抽出ＩＦ信号を所要レベルにまで増幅すると共にその受信レベル（受信電解強度）ＲＳＳＩを検出可能なＩＦアンプ（ＩＦＡ）、３８は例えば（π／４）シフトＱＰＳＫによる復調部（ＤＥＭ）、３９は（π／４）シフトＱＰＳＫによる変調部（ＭＯＤ）、４０は送信部、４１は基地局（不図示）との間のＴＤＭＡ方式に従い、呼制御信号や音声データ信号のやり取りを仲介するＴＤＭＡ同期制御部、４２は送／受信信号の符号変換を行うコーデック（ＣＯＤＥＣ）、４３は音声帯域信号を処理するベースバンド処理部、４４はスピーカ（ＳＰＫ）、４５はマイク（ＭＩＣ）、４６はＡ／Ｄ変換器である。
【００１０】
更に、５１は本装置の主制御及び呼処理等を行うＣＰＵ、５２はＣＰＵ５１が実行するプログラムや必要な運用データ等を記憶するメモリ（ＭＥＭ）、５３は本装置の前面に設けられたコンソール（ＣＳＬ）、５４は液晶等による表示部（ＤＳＰ）、５５はダイヤルキー，ファンクションキー等を備えるキーボード（ＫＢＤ）、５６はＣＰＵ５１の共通バスである。
【００１１】
なお、このＣＰＵ５１はＴＤＭＡ同期制御部４１からの各種タイミング信号（通話スロット，待ち受けスロット等）により後述の各種アプリケーションプログラムを起動可能となっている。
【００１２】
また、上記ＩＦアンプ３７及びＡ／Ｄ変換器４６を含む構成は、本装置の通話時、待ち受け時又は基地局による通話チャネルの指定から通話開始に至るまでの間に、ＣＰＵ５１の制御下で、自局で使用するチャネルに隣接する周波数の信号の受信レベルを測定する測定手段に相当する。また、前記測定した受信レベルが所定閾値を超えている場合に、基地局に通話チャネルの切替要求を送信する送信手段は、ＣＰＵ５１の制御下で、通話チャネルの切替要求を送信する変調部３９や送信部４０等を含む構成が相当する。また、前記測定した受信レベルが所定閾値を超えている場合に、とまり木チャネルのサーチモードに移行する制御手段はＣＰＵ５１がこれに相当する。以下、本実施の形態による移動局装置の動作を説明する。
【００１３】
上記構成により、本装置に電源投入すると、ＣＰＵ５１はまず複数のとまり木チャネルをサーチし、最寄り（通信品質最良）の基地局と接続すると共に、該基地局から自局の待ち受け受信のための情報（待ち受け受信フレーム番号，待ち受け受信スロット番号等）の指定を受け、待ち受け状態になる。
【００１４】
その後、自局からの発呼し、又は他局からの着信を受け付けた場合は、基地局から通話チャネルを指定されて当該呼を接続すると共に、その通話時においては、アンテナ３１からの受信ＲＦ信号は受信系で受信データＲＤに復調され、コーデック４２でＰＣＭコード信号に変換され、更にベースバンド処理部４３でアナログ信号に変換され、スピーカ４４に出力される。また、マイク４５からの音声信号はベースバンド処理部４３でＰＣＭコード信号に変換され、コーデック４２で送信データＴＤに変換され、更に送信系で送信ＲＦ信号に変調され、アンテナ３１より送信される。
【００１５】
しかるに、もしこの通話中に隣接チャネルからの電波干渉があると、通話品質が劣化するばかりか、最悪の場合は通話切断に陥る場合もある。そこで、本実施の形態ではこのような状態を有効に回避するために、以下の通話中チャネル監視制御を行う。
【００１６】
図２は実施の形態による通話中チャネル監視制御のフローチャートである。
なお、これに対応するタイミングチャートを図４に示す。図２（Ａ）は非通話スロット１割込処理を示しており、自局の非通話スロット（例えばスロット１）のタイミングになると、この処理に割込入力する。ステップＳ１１ではＣＰＵ５１はシンセサイザ３４の受信周波数を通話中チャネル（ｆ２）−２５ｋＨｚにオフセットさせる。即ち、通話中チャネルの隣接チャネルに受信周波数を切り替える。ステップＳ１２ではその際の受信レベルＲＳＳＩを検出し、続くステップＳ１３では該検出した受信レベルＲＳＳＩが所定閾値ＴＨ（例えば１ｄＢ）より大きいか否かを判別する。ＲＳＳＩ＞ＴＨの場合は、この通話中チャネルが隣接チャネルによる電波干渉状態にある可能性があるので、ステップＳ１４に進み、ここでチャネルアップ切り替え要求フラグに１をセットする。またＲＳＳＩ＞ＴＨでない場合は上記ステップＳ１４の処理をスキップする。そして、ステップＳ１５ではでシンセサイザ３４の周波数を通話中チャネル（ｆ２）に戻し、この処理を抜ける。
【００１７】
このチャネルアップ切り替え要求フラグ＝１は、制御チャネルＣＣを介して速やかに接続基地局に通知され、これを受けた基地局は、通話中チャネルｆ２よりも高い周波数の空きチャネルをサーチすると共に、存在する場合は当該空きチャネルを移動局ＭＳ２に割り付け、速やかに通話中チャネルを切り替える。従って、低い周波数における電波干渉状態を能率よく回避できる。
【００１８】
図２（Ｂ）は非通話スロット２割込処理を示しており、自局の他の非通話スロット（例えばスロット３）のタイミングになると、この処理に割込入力する。ステップＳ２１ではＣＰＵ５１はシンセサイザ３４の受信周波数を通話中チャネル（ｆ２）＋２５ｋＨｚにオフセットさせる。即ち、通話中チャネルの隣接チャネルに受信周波数を切り替える。ステップＳ２２ではその際の受信レベルＲＳＳＩを検出し、続くステップＳ２３では該検出した受信レベルＲＳＳＩが所定閾値ＴＨ（例えば１ｄＢ）より大きいか否かを判別する。ＲＳＳＩ＞ＴＨの場合は、この通話中チャネルが隣接チャネルによる電波干渉状態にある可能性があるので、ステップＳ２４に進み、ここでチャネルダウン切り替え要求フラグに１をセットする。またＲＳＳＩ＞ＴＨでない場合は上記ステップＳ２４の処理をスキップする。そして、ステップＳ２５ではでシンセサイザ３４の周波数を通話中チャネル（ｆ２）に戻し、この処理を抜ける。
【００１９】
このチャネルダウン切り替え要求フラグ＝１は、制御チャネルＣＣを介して速やかに接続基地局に通知され、これを受けた基地局は、通話中チャネルｆ２よりも低い周波数の空きチャネルをサーチすると共に、存在する場合は当該空きチャネルを移動局ＭＳ２に割り付け、速やかに通話中チャネルを切り替える。従って、高い周波数における電波干渉状態を能率よく回避できる。
【００２０】
なお、上記実施の形態では基地局に直接チャネルアップ／ダウン切り替え要求を通知する場合を述べたが、これに限らない。他にも、通話中における基地局との既存の通信方法を有効に利用できる。即ち、例えば通話中の自局の受信レベル測定結果を実際よりも低く報告することで、チャネル切替要求を促進できる。この場合は任意の空きチャネルに切り替えられる。
【００２１】
図３は実施の形態による待ち受け中チャネル監視制御のフローチャートである。なお、図５にこれに対応するタイミングチャートを示す。図５において、この待ち受けチャネルの１スーパフレームは３６個分の連続したフレーム信号からなり、更に１フレームは３つのスロット信号からなっている。また各スロット信号には、先頭のプリアンブル信号、これに続くデータ信号、中間部の同期ワード信号及び後続のデータ信号が含まれる。基地局から自局の待ち受け受信フレーム番号及び待ち受け受信スロット番号等の指定を受け移動局ＭＳ２は、この受信同期を維持しながら待ち受け状態になってる。
【００２２】
図３に戻り、該図は待ち受け中割込処理を示しており、自局の所定の待ち受けスロット以外のタイミングになると、この処理に割込入力する。なお、このタイミングはＣＰＵ５１が待ち受けスロット以外の区間で任意に設定できる。ステップＳ３１ではＣＰＵ５１はシンセサイザ３４の受信周波数を待ち受け中チャネル（ｆ２’）−２５ｋＨｚにオフセットさせる。ステップＳ３２ではその際の受信レベルＲＳＳＩを検出し、続くステップＳ３３では該検出した受信レベルＲＳＳＩが所定閾値ＴＨ（例えば１ｄＢ）より大きいか否かを判別する。ＲＳＳＩ＞ＴＨの場合は、この待ち受けチャネルが電波干渉状態にある可能性があるので、ステップＳ３７に進む。
【００２３】
またＲＳＳＩ＞ＴＨでない場合は更にステップＳ３４でＣＰＵ５１はシンセサイザ３４の受信周波数を待ち受け中チャネル（ｆ２’）＋２５ｋＨｚにオフセットさせる。ステップＳ３５ではその際の受信レベルＲＳＳＩを検出し、続くステップＳ３６では該検出した受信レベルＲＳＳＩが所定閾値ＴＨ（例えば１ｄＢ）より大きいか否かを判別する。そして、ＲＳＳＩ＞ＴＨでない場合はステップＳ３８でシンセサイザ３４の周波数を待ち受け中チャネル（ｆ２'）に戻し、この処理を抜ける。
【００２４】
また上記ステップＳ３３又はステップＳ３６の判別でＲＳＳＩ＞ＴＨの場合は、この待ち受け中チャネルが電波干渉状態にある可能性があるので、ステップＳ３７に進み、ここでＣＰＵ５１はとまり木チャネル切り替え要求フラグに１をセットする。そして、ステップＳ３８ではでＣＰＵ５１はシンセサイザ３４の周波数を待ち受け中チャネル（ｆ２’）に戻し、この処理を抜ける。
【００２５】
このとまり木チャネル切り替え要求フラグ＝１は、本装置内のとまり木チャネルサーチ処理を付勢し、これによって新たなとまり木チャネルの探索モードに入る。
【００２６】
なお、上記本装置が通話中及び待ち受け中におけるチャネル監視制御を述べたがこれに限らない。例えば、基地局による通話チャネルの指定から実際の通話開始に至るまでの間においても、上記図２又は図３と同様の制御により、隣接チャネルによる電波干渉の可能性を監視できると共に、受信レベルが所定閾値を超える場合は、基地局に通話チャネルの変更を要求することで、劣悪な状態で通話開始することを未然に回避できる。
【００２７】
また、上記実施の形態は具体的な数値例を伴って説明をしたが、本発明はこれらの数値に限定されない。例えば電波干渉を検出するためにオフセットさせる周波数は±１２ｋＨｚ等でも良い。
【００２８】
また、上記本発明に好適なる実施の形態を述べたが、本発明思想を逸脱しない範囲内で各部の構成、制御、処理及びこれらの組み合わせの様々な変更が行えることは言うまでも無い。
【００２９】
【発明の効果】
以上述べた如く本発明によれば、通信中チャネル環境の変動によらず、良好な通信品質を維持可能となり、よって移動通信システムのサービス向上及び信頼性向上に寄与するところが極めて大きい。
【図面の簡単な説明】
【図１】実施の形態による移動局装置のブロック図である。
【図２】実施の形態による通話中チャネル監視制御のフローチャートである。
【図３】実施の形態による待ち受け中チャネル監視制御のフローチャートである。
【図４】実施の形態による通話中チャネル監視制御のタイミングチャートである。
【図５】実施の形態による待ち受け中チャネル監視制御のタイミングチャートである。
【図６】従来技術を説明する図である。
【符号の説明】
ＢＳ  基地局
ＭＳ  移動局
ＭＣＵ  移動体交換局
【図１】
0003870010.tif 000002
【図２】
0003870010.tif 000003
【図３】
0003870010.tif 000004
【図４】
0003870010.tif 000005
【図５】
0003870010.tif 000006
【図６】
0003870010.tif 000007